(57)【要約】  無線通信ネットワークにおいて動作するためのユーザ装置(STA)及び方法の実施形態が本願において一般的に説明される。一実施形態において、STAは信号をサブチャネルに分離する。信号は無線通信チャネルで受信される。STAは、サブチャネル群に属するサブチャネルにおいて、データパケットのショートトレーニングシーケンス(STS)の部分を検出する。STAは、検出に応じて、STAによる送信を控えること等のような共存技術をチャネルに適用する。
2015526952.tif 000002
【特許請求の範囲】
【請求項１】
無線ネットワークにおいて動作するためにユーザ装置が実行する方法であって、
無線通信チャネルで受信した信号を複数のサブチャネルに分離するステップと、
前記複数のサブチャネルに属するサブチャネルにおいて、データパケットのショートトレーニングシーケンス（ＳＴＳ）の部分を検出するステップと、
前記の検出に応じて、前記チャネルにおいて送信を控えることにより、前記チャネルにおいて共存技術を適用するステップと
を有する方法。
【請求項２】
チャネルが分離されるサブチャネルの帯域幅は、電気電子技術者協会（ＩＥＥＥ）８０２．１１標準規格群に属する標準規格に従って、約５．８５ＧＨｚないし５．９２５ＧＨｚの周波数範囲において、５ＧＨｚの送信バンドで動作する装置の予想される送信帯域幅に基づく、請求項１に記載の方法。
【請求項３】
前記分離するステップが、前記信号を５ＭＨｚの帯域幅のサブチャネルにフィルタリングすることを含み、
前記検出するステップが、前記ＳＴＳの部分の周期性に基づいて、ある時間期間の間にわたって前記サブチャネルを並列的に検査することを含む、請求項２に記載の方法。
【請求項４】
前記分離するステップが、前記信号を１０ＭＨｚの帯域幅のサブチャネルにフィルタリングすることを含み、
前記検出するステップが、前記ＳＴＳの部分の周期性に基づいて、ある時間期間の間にわたって前記サブチャネルを並列的に検査することを含む、請求項２に記載の方法。
【請求項５】
前記分離するステップが、前記信号を５ＭＨｚの帯域幅のサブチャネルにフィルタリングすることを含み、
前記検出するステップが、
前記１０ＭＨｚのサブチャネルと前記５ＭＨｚのサブチャネルとを互いに並列的に検査すること、及び
前記１０ＭＨｚのサブチャネルに関する検査が、前記１０ＭＨｚのサブチャネルの何れかにおいて前記ＳＴＳの部分を検出した場合に、前記検査を終了すること、
を含む、請求項４に記載の方法。
【請求項６】
前記分離するステップが、前記信号を２０ＭＨｚのサブチャネルにフィルタリングすることを含み、
前記検出するステップが、前記１０ＭＨｚのサブチャネル及び前記５ＭＨｚのサブチャネルを検査するとともに、前記２０ＭＨｚのサブチャネルを検査することを含む、請求項５に記載の方法。
【請求項７】
前記共存技術が、前記チャネルにおいて或る時間期間にわたって送信を控えることを含む、請求項１に記載の方法。
【請求項８】
前記送信を控えることが、前記チャネルにおいて或る時間期間の間静かに待機することを含む、請求項７に記載の方法。
【請求項９】
物理レイヤ（ＰＨＹ）回路及び処理要素を有する無線通信局（ＳＴＡ）であって、
無線通信チャネルで信号を受信する処理と、
前記信号を或る数のサブチャネルに分離する処理であって、前記サブチャネルの数は装置の予想される送信帯域幅に基づいており、前記装置は、５ＧＨｚ送信バンドにおいて電気電子技術者協会（ＩＥＥＥ）８０２．１１標準規格群に属する標準規格に従って、約５．８５ＧＨｚないし５．９５ＧＨｚの周波数範囲内で動作する、処理と、
前記或る数のサブチャネルのうちのサブチャネルにおいてデータパケットのショートトレーニングシーケンス（ＳＴＳ）の部分を検出するために前記サブチャネルを検査する処理と、
前記ＳＴＳの部分を検出したことに応じて前記チャネルにおける動作に対して、前記チャネルにおける送信を控えることを含む共存技術を適用する処理と
を実行する無線通信局。
【請求項１０】
当該ＳＴＡは、ＩＥＥＥ８０２．１１ｎ標準規格群に属する標準規格、又は、ＩＥＥＥ８０２．１１ａｃ標準規格群に属する標準規格に従って通信を行うように形成されている、請求項９に記載の無線通信局。
【請求項１１】
前記ＰＨＹ回路及び処理要素は、
前記チャネルを５ＭＨｚの帯域幅のサブチャネルに分離するフィルタ、又は、
前記チャネルを１０ＭＨｚの帯域幅のサブチャネルに分離するフィルタ
を含み、前記処理要素は、前記ＳＴＳの部分を検出するために、前記ＳＴＳの部分の州規制に基づいて、ある時間期間にわたって前記フィルタの出力を並列的に検査するように形成されている、請求項１０に記載の無線通信局。
【請求項１２】
前記ＰＨＹ回路及び処理要素は、前記チャネルを５ＭＨｚの帯域幅のサブチャネルに分離する第１のフィルタ群と、前記チャネルを１０ＭＨｚの帯域幅のサブチャネルに分離する第２のフィルタ群とを含み、
前記処理要素は、前記第１のフィルタ群及び第２のフィルタ群の出力を並列的に検査し、前記第２のフィルタ群の出力において前記ＳＴＳの部分を検出した場合に、前記処理要素は、前記第１のフィルタ群の出力の検査を終了する、請求項１０に記載の無線通信局。
【請求項１３】
前記共存技術は、少なくとも或る時間期間の間にわたってワイドバンド通信チャネルで当該ＳＴＡによる送信を抑制することを含む、請求項１０に記載の無線通信局。
【請求項１４】
第１の範囲の動作帯域幅を有する装置が、第２の範囲の動作帯域幅を有する装置と無線ネットワークにおいて共存するために実行する方法であって、前記第２の範囲の動作帯域幅は、前記第１の範囲の動作帯域幅より狭い最小動作帯域幅を含み、当該方法は、
チャネルで受信した信号を、前記最小動作帯域幅のサブチャネルに分離するように、前記信号をフィルタリングするステップと、
前記サブチャネルにおける送信信号を検出するために前記サブチャネルを検査するステップと、
前記サブチャネルにおける送信信号を検出したことに応じて、前記チャネルに対して
共存技術を適用するステップと
を有する方法。
【請求項１５】
前記チャネルで受信した信号を、前記第２の範囲の動作帯域幅の次の最小帯域幅のうちの帯域幅を有する別のサブチャネル群に分離するように、前記信号をフィルタリングするステップであって、前記次の最小帯域幅は、前記第１の範囲の動作帯域幅のうちの帯域幅より狭い、ステップと、
第１のサブチャネル群及び第２のサブチャネル群を検査し、前記第２のサブチャネル群で送信信号を検出した場合に、当該ＳＴＡは検査を終了するステップと
を更に有する請求項１４に記載の方法。
【請求項１６】
無線通信チャネルで信号を受信するように形成されたアンテナと、
１つ以上のプロセッサと
を有するシステムであって、前記プロセッサは、
前記信号を或る数のサブチャネルに分離する処理であって、前記サブチャネルの数は装置の予想される送信帯域幅に基づいており、前記装置は、５ＧＨｚ送信バンドにおいて電気電子技術者協会（ＩＥＥＥ）８０２．１１標準規格群に属する標準規格に従って、約５．８５ＧＨｚないし５．９５ＧＨｚの周波数範囲内で動作する、処理と、
前記或る数のサブチャネルのうちのサブチャネルにおいてデータパケットのショートトレーニングシーケンス（ＳＴＳ）の部分を検出するために前記サブチャネルを検査する処理と
を実行するように形成されている、システム。
【請求項１７】
前記１つ以上のプロセッサは、前記サブチャネルにおいて前記ＳＴＳの部分を検出したことに応じて、少なくとも或る時間期間の間にわたって前記チャネルにおける送信を控えることにより、前記チャネルにおいて共存技術を適用するように形成されている、請求項１６に記載のシステム。
【請求項１８】
１つ以上のプロセッサに動作方法を実行させる命令を記憶する一時的でないコンピュータにより読み取ることが可能な記憶媒体であって、前記動作方法は、
無線通信チャネルで受信した信号を複数のサブチャネルに分離するステップと、
前記複数のサブチャネルに属するサブチャネルにおいて、データパケットのショートトレーニングシーケンス（ＳＴＳ）の部分を検出するステップと、
前記の検出に応じて、前記チャネルにおいて送信を控えることを含む共存技術を、前記チャネルにおいて適用するステップと
を有する記憶媒体。
【請求項１９】
前記サブチャネルの帯域幅は装置の最小動作帯域幅であり、前記装置は、５ＧＨｚ送信バンドに関する電気電子技術者協会（ＩＥＥＥ）８０２．１１標準規格群に属する標準規格に従って、約５．８５ＧＨｚないし５．９５ＧＨｚの周波数で動作する、請求項１８に記載の記憶媒体。
【請求項２０】
前記サブチャネルの別の帯域幅が、前記装置の次の最小動作帯域幅である、請求項１９に記載の記憶媒体。
【発明の詳細な説明】
【技術分野】
【０００１】
本願により開示される実施形態は通信ネットワーク等に関連する。一実施形態は、IEEE802.11n及びIEEE802.11ac標準規格を含むIEEE802.11標準規格のうちの何れかに従って動作する装置のための共存技術(coexistence  technique)に関連する。
【背景技術】
【０００２】
近年、連邦通信委員会(FCC)は、非ライセンス全米情報インフラストラクチャ(Unlicensed-National  Information  Infrastructure：U-NII)を規定する既存の規則に対する修正事項を提案しており、U-NIIは5GHz周波数バンドのうちの何れかのサブバンドに対するU-NII装置による共有アクセスを可能にする。IEEE802.11無線標準規格ファミリに属する標準規格に従って動作するWi-Fi装置は、それらの拡張帯域を利用して各自の動作帯域を拡張してもよい。しかしながら、Wi-Fi装置は、拡張帯域に既に存在する政府その他のタイプの管理下にある従来装置と共存する必要がある。
【０００３】
＜関連出願＞
本願は2013年5月8日付で出願された米国仮特許出願第61/821,023号による優先的利益を享受し、その米国仮特許出願の内容全体は本願のリファレンスに組み入れられる。
【発明の概要】
【発明が解決しようとする課題】
【０００４】
一実施形態は共存技術を利用して動作する改善された装置及び方法を提供することである。
【課題を解決するための手段】
【０００５】
一実施形態による方法は、
無線ネットワークにおいて動作するためにユーザ装置が実行する方法であって、
無線通信チャネルで受信した信号を複数のサブチャネルに分離するステップと、
前記複数のサブチャネルに属するサブチャネルにおいて、データパケットのショートトレーニングシーケンス（ＳＴＳ）の部分を検出するステップと、
前記の検出に応じて、前記チャネルにおいて送信を控えることにより、前記チャネルにおいて共存技術を適用するステップと
を有する方法である。
【図面の簡単な説明】
【０００６】
【図１】一実施形態によるシステムを示す図。
【図２】一実施形態による無線ネットワークで動作するユーザ通信局(STA)が実行する手順のフローチャートを示す図。
【図３】一実施形態による通信局(STA)の機能ブロック図。
【図４】一実施形態による無線ネットワークで動作するための手順のフローチャートを示す図。
【発明を実施するための形態】
【０００７】
以下の記述及び図面は当業者が具体的な形態を実施できる程度に十分に示している。他の実施形態は構造的な変形、論理的な変形、電気的な変形、手順の変形その他の変形を組み入れてもよい。実施形態の一部分及び特徴は、他の実施形態の中に包含されてもよいし、或いは他の実施形態の一部分及び特徴と置換されてもよい。請求項に関連して説明される実施形態はそれらの請求項に適用可能な全ての均等物を包含する。
【０００８】
図1は実施形態が使用されてよいシステム100を示す。システム100は無線標準規格の電気電子技術者協会(IEEE)802.11ファミリに属する標準規格に従って動作するユーザの無線通信局(STA)110、115を含み、IEEE802.11ファミリはIEEE802.11n及びIEEE802.11ac等の標準規格を含む。ユーザSTA110、115は、例えば、ラップトップコンピュータ、スマートフォン、タブレットコンピュータ、プリンタ等であってもよく、或いはユーザインタフェースを備える又は備えていないその他の任意の無線装置であってもよい。
【０００９】
ユーザSTA110、115等のような現在のIEEE802.11n/ac装置は、5GHz周波数バンドに属する所定のサブバンドで動作してもよい。「バンド」は「帯域」等と言及されてもよい。最近、連邦通信委員会(FCC)は、5GHz周波数バンドの非ライセンス全国情報インフラストラクチャ(Unlicensed-National  Information  Infrastructure：U-NII)の利用の仕方を規定する既存の規則に対する修正を提案しており、5GHz周波数バンドのうちの5350-5470MHz及び5850-5925MHzサブバンドにおいて、195MHzの追加的なスペクトルがU-NII共用アクセスのために割り当てられる。
【００１０】
いくつかの政府機関は、現在、上記の2つの5GHz拡張バンドを使用している。非政府系機関による利用形態(non-governmental  use)は、固定衛星アップリンク(地球から宇宙空間への伝送)とモバイルサービスとを含む。非政府系機関によるモバイルサービス割当は、今のところ、高度道路交通システム(Intelligent  Transportation  System：ITS)無線サービスで動作するシステム120、125のようなシステムに限定されている。IEEE802.11p修正版は、ITSアプリケーションをサポート(又は使用可能に)するための802.11に対する変更内容を規定する。FCCは次のことを要求している：5GHz周波数バンドのうちの上記又は他のサブバンドで動作することを希望するユーザSTA110、115が、システム120、125のようなIEEE802.11p装置とともに共存するために、状況把握型スペクトル共有技術(situation-aware  spectrum-sharing  technologies)を実施すること。
【００１１】
IEEE802.11p装置は5MHz、10MHz及び20MHzの帯域幅で動作してもよい。しかしながら、ユーザ110、115のような或る種のIEEE802.11n/ac装置は、20MHz又はそれより広い帯域幅でしか動作しないかもしれない。従って、現在の802.11n/ac装置は、5又は10MHz帯域幅で動作するIEEE802.11p装置を検出できないかもしれない。一実施形態は、ユーザSTA110、115等を含む802.11n/ac装置が、装置120、125等のようなIEEE802.11p装置からの信号を検出するための方法を提供する。IEEE802.11p装置を検出すると、ユーザSTA110、115は、装置120、125等のようなIEEE802.11p装置との干渉を少なくとも回避するために共存技術を適用する。例えば、ユーザSTA110は、何らかの干渉のおそれを避けるために、そのチャネルで送信することを控える又は他のチャネルに移行する。「控える」は「抑制する」又は「禁止する」等と言及されてもよい。
【００１２】
一実施形態において、ユーザ110は、パケットのプリアンブルのうちのショートトレーニングシーケンス(STS)を検出することにより、装置120又は125が送信したIEEE802.11pパケットのようなIEEE802.11a/n/ac/p/ah直交周波数分割多重(OFDM)パケットを検出する。STSは、プリアンブルのショートトレーニングフィールド(STF)の部分で使用される反復的なシーケンスである。ユーザSTA110は5MHz又は10MHz帯域幅で送信されたSTSを検出することが可能であり、その理由は、これらの帯域幅のOFDM波形は、ユーザSTA110により使用されている20MHz帯域幅のOFDM波形と類似するように設計されているからである。例えば、5MHz及び10MHz帯域幅のOFDM波形は、20MHz帯域幅のOFDM波形の場合と同様に、64ポイントの高速フーリエ変換(FFT)を利用して形成される。従って、OFDMパケットプリアンブルのSTS部分の構造の情報と、10MHz又は5MHz通信のためのOFDM波形の情報とに基づいて、ユーザSTA110は送信信号を検出することができ、この点については図2を参照しながら後述する。
【００１３】
図2は無線ネットワークで動作するユーザ通信局(STA)により実行される一実施形態による手順200のフローチャートを示す。この手順は例えばユーザSTA110又は115(図1)により実行されてもよい。
【００１４】
処理210において、ユーザSTA110は、無線通信チャネルで受信した信号を、(複数の)サブチャネルに分離する(又は分ける)。サブチャネルの帯域幅は、5GHz送信バンドで動作する装置について予想される送信帯域幅に基づいていてもよい。送信周波数は、IEEE802.11標準規格ファミリの標準規格に従って、約5.85GHzないし5.925GHzの周波数範囲、或いは約5.350GHzないし5.470GHzの周波数範囲に属していてもよい。しかしながら、実施形態はそれらの周波数範囲における送信信号を検出する例に限定されない。
【００１５】
例えば、802.11標準規格に対するIEEE802.11p修正版に従って動作する装置120及び125(図1)のような装置は、5GHzの周波数バンドにおいて、5MHz、10MHz及び20MHzのチャネル帯域幅で動作してもよい。そして、処理210では、チャネルを、これらの帯域幅のうちの1つ又は複数個を含むサブチャネルに分離するが、実施形態はこの具体例に限定されない。一実施形態において、分離は、受信信号を、5MHzサブチャネルの第1部分(第1サブセット)と、10MHzサブチャネルの第2部分(第2サブセット)とに選別又はフィルタリングすることを含む。一実施形態は1つの20MHzチャネルにフィルタリングすることを含んでもよい。しかしながら実施形態はこれらの具体例に限定されない。
【００１６】
処理220において、ユーザSTA110は、それらのサブチャネルのうちの1つのサブチャネルにおけるデータパケットのショートトレーニングシーケンス(STS)部分を検出する。STS部分は、その帯域幅でのSTS部分の周期(挿入頻度)に基づいて1時間間隔の間にわたってサブチャネルを並列的に検査することによって、検出されることが可能である。相関アルゴリズムに従って計算される相関レベルが閾値に達している又は閾値を超えている場合に、或るサブチャネルで或るSTS部分が検出されるように、各サブチャネルの検査は、上記の相関アルゴリズムに従って進行してもよい。
【００１７】
ある種のユーザSTA110は、STS部分の既知の周期(挿入頻度)に基づいてSTS部分を検出するアルゴリズムを実行する受信部を含む。例えば、20MHz信号を受信する或る種のユーザSTA110受信部は、STSフィールドが、IEEE802.11標準規格に従って、20MHz帯域幅において0.8マイクロ秒毎に合計10回反復しているという事実に基づいて、相関アルゴリズムを実行する。ユーザSTA110は、例えば20MHz送信の場合に合計8マイクロ秒の10-時間間隔にわたって、移動平均を計算し、相関値が選択可能な検出閾値に達している又は超えているか否かを検出する。
【００１８】
一実施形態において、ユーザSTA110受信部は、20MHz帯域幅を、2つの10MHzサブチャネル、4つの5MHzサブチャネル又はそれらの組み合わせにフィルタリングする処理を実行してもよい。STS部分に対する周期及びタイミングに関する上記の情報に基づいて、ユーザSTA110は、STS部分を検出するために、STS部分の周期に基づいて、ある時間間隔にわたってサブチャネルを並列的に検査してもよい。20MHz信号に関する上記の具体例において、ユーザSTA110受信部は、STSが検出される前に少なくとも2つのSTSシーケンスの間にわたって又は少なくとも1.6マイクロ秒の間にわたって、遅延相関アルゴリズム(delay  and  correlation  algorithm)を実行してもよい。20MHz帯域幅を2つの10MHzサブチャネルにフィルタリングする一実施形態において、ユーザSTA110受信部は、10MHzフィルタを利用して、STSが検出される前に少なくとも3.2マイクロ秒の間にわたって遅延相関アルゴリズムを実行する。20MHz帯域幅を4つの5MHzサブチャネルにフィルタリングする一実施形態において、ユーザSTA110受信部は、5MHzフィルタを利用して、STSが検出される前に少なくとも6.4マイクロ秒の間にわたって遅延相関アルゴリズムを実行する。
【００１９】
20MHz相関器がSTSを検出した場合に、ユーザSTA110受信部が他のフィルタによる他の検査を終了してよいように、ユーザSTA110受信部110は20MHz相関器を並列的に使用してもよい。少なくともこれらの実施形態において、検出はより迅速に実行されてもよいが、電力レベルが低い場合には、ノイズ又は他の干渉が検出精度に影響を及ぼすおそれがある。
【００２０】
検出に基づいて、ユーザSTA110が送信又は処理を控える実施形態では、ユーザSTA110は、検出部及び5MHzフィルタのバンク、又は、検出部及び10MHzフィルタのバンクを含み、20MHz相関器を備えていなくてもよい。これら及び他の実施形態において、控える処理(抑制する処理)は、チャネル上で沈黙したまま(又は何もせずに)或る時間期間にわたって待機することを含んでもよい。
【００２１】
ユーザSTA110が拡張バンドで他の処理を実行する実施形態では、ユーザSTA110は20MHz相関器を使用するかもしれない。これら及び他の実施形態において、ユーザSTA110は、10MHzフィルタ又は5MHzフィルタを含んでいてもよいし、或いは、10MHzフィルタ及び5MHzフィルタの双方を含んでいてもよい。
【００２２】
処理230において、上記の相関アルゴリズムにより、或るサブチャネルのOFDMプリアンブルにSTS部分が検出された場合、ユーザSTA110は共存技術を実行する。ユーザSTA110は、5GHz周波数バンドで装置120又は125との干渉を避けるために、共存技術を使用してもよい。例えば、ユーザSTA110は、何らかの干渉のおそれを回避するために、そのチャネルでの送信を控えてもよいし、或いは、他のチャネルに遷移してもよい。
【００２３】
図3は一実施形態によるSTA300の機能ブロック図を示す。STA300はユーザSTA110(図1)に適している。STA110は一実施形態による無線通信ネットワークにおける動作方法を使用することが可能である(サポートしている)。ユーザSTA110は、IEEE802.11n標準規格ファミリに属する標準規格、又はIEEE802.11ac標準規格ファミリに属する標準規格に従って通信するように形成されていてもよい。
【００２４】
ユーザSTA110はプロセッサ302を含み、プロセッサ302は、チップセット304を利用してオンチップ状態メモリ306だけでなく通信インタフェース308にもアクセスする。一実施形態において、メモリ306は、例えば、ランダムアクセスメモリ(RAM)、ダイナミックRAM(DRAM)、スタティックRAM(SRAM)、同期DRAM(SDRAM)、ダブルデータレート(DDR)SDRAM(DDR-SDRAM)又は高速データバッファリングを行うことが可能な何らかの装置等を含むが、これらに限定されない。
【００２５】
少なくとも一実施形態において、通信インタフェース308は、例えば、複数入力/複数出力(MIMO)方式に従って動作する無線物理レイヤ(PHY)である。通信インタフェース308は、5GHzバンドにおける無線通信チャネルの信号を受信するように形成されている。
【００２６】
チップセット304は、共存論理部312を組み込んでおり、例えば、少なくとも或る時間間隔にわたってワイドバンド通信チャネルにおける送信を控える。一実施形態において、チップセット304はMACレイヤの機能を提供する。
【００２７】
実施形態はハードウェア、ファームウェア及びソフトウェアのうちの何れか又は組み合わせにより実施されてもよい。実施形態は、コンピュータにより読み取ることが可能な(コンピュータ可読)一時的でない記憶装置に保存される命令(又はプログラム又はソフトウェア)として実現されてもよく、命令は、上記の処理を実行するために、少なくとも1つのプロセッサ302により読み取られて実行される。
【００２８】
プロセッサ302は、図2に関して上述したように、信号を複数のサブチャネルに分離するように形成される。サブチャネル数は装置の予想される送信帯域幅に基づいていてもよく、装置は、5GHz送信バンドに関するIEEE802.11標準規格ファミリのうちの標準規格に従って、約5.85GHzないし5.95GHzの周波数範囲内で動作する。プロセッサ302はサブチャネルを検査するように形成されており、複数のサブチャネルのうちの或るサブチャネルにおいてデータパケットのショートトレーニングシーケンス(STS)の部分を検出する。プロセッサ302は、STS部分を検出したことに応じて、そのチャネルにおける処理に共存技術を適用するように形成される。例えば、プロセッサ302はそのチャネルで送信することを控える。
【００２９】
信号を複数のサブチャネルに分けるために、ユーザSTA300は、プロセッサ302と、通信インタフェース308又はアンテナ回路310-1〜310-Nの部分と、チャネルを5MHz又は10MHzの帯域幅のサブチャネルに分離するフィルタとを含む。プロセッサ302は、STS部分の周期性に基づいて或る時間期間にわたってフィルタの出力を並列的に検査し、図2を参照しながら説明したようにSTS部分を検出するように形成される処理要素として形成されてもよい。
【００３０】
一実施形態では、プロセッサ302及びメモリ306がコンピュータ可読媒体として機能するように、命令(又は命令部)314がプロセッサ302又はメモリ306に保存される。コンピュータ可読記憶装置は、マシン(例えば、コンピュータ)により読み取ることが可能な形式で情報を保存する何らかの一時的でない仕組みを含んでよい。例えば、コンピュータ可読記憶装置は、ROM、RAM、磁気ディスクストレージ媒体、光ストレージ媒体、フラッシュメモリ装置、及びその他の記憶装置及び媒体を含んでいてもよい。
【００３１】
命令(又は命令部)314は、ユーザSTA300において実行される場合に、無線通信チャネルで受信された信号を、複数のサブチャネルに分離することを、ユーザSTA300に実行させる。命令314は、ユーザSTA300において実行される場合に、複数のサブチャネルのうちのサブチャネルにおいて、データパケットのショートトレーニングシーケンス(STS)の部分を検出することを、ユーザSTA300に実行させる。命令314は、ユーザSTA300において実行される場合に、例えば、検出に応じてチャネルにおける送信を控えることにより、ユーザSTA300に共存技術を適用させる。
【００３２】
ユーザSTA300は複数の個別的な機能要素を有するように描かれているが、1つ上の記法要素が組み合わせられてもよいし、ソフトウェアで形成された要素の組み合わせにより実現されてもよく、そのような要素は例えばディジタル信号プロセッサ(DSP)及び/又はその他のハードウェア要素を含む処理要素である。例えば、或る要素は、1つ以上のマイクロプロセッサ、DSP、特定用途向け集積回路(ASIC)、無線周波数集積回路(RFIC)、及び、本願で説明される機能を少なくとも実行する様々なハードウェア及び論理回路の組み合わせを含んでもよい。一実施形態において、ユーザSTA300の機能要素は、1つ以上の処理要素で動作する1つ以上のプロセッサであってもよい。
【００３３】
ユーザSTA300は複数の送受信アンテナ310-1〜310-Nを含んでいてもよく、Nは自然数である。アンテナ310-1〜310-Nは、1つ以上の指向性又は無指向性アンテナを含んでいてもよく、例えば、ダイポールアンテナ、モノポールアンテナ、パッチアンテナ、ループアンテナ、マイクロストリップアンテナ、又は、RF信号を送信するのに適した他のタイプのアンテナ等を含む。一実施形態では、2つ以上のアンテナの代わりに、複数の開口(aperture)を伴う単独のアンテナが使用されてもよい。一実施形態において、各々の開口は個々のアンテナと考えられてよい。MIMOの実施形態の場合、アンテナ310-1〜310-Nは、アンテナ310-1〜310-Nの各々による様々なチャネル特性及び空間ダイバーシティ特性を考慮して有効に分離されてもよい。MIMOの実施形態の場合、アンテナ310-1〜310-Nは、波長の1/10又はそれ以上に及ぶ程度に隔てられていてもよい。一実施形態において、アンテナ310-1〜310-Nは、受信した信号を、(例えば、5MHz、10MHz、20MHz、又は他の帯域幅のような)様々な帯域幅の様々なサブチャネルにフィルタリングするバンドパスフィルタ又は他のフィルタリング回路を有していてもよい。
【００３４】
図4は、第1の範囲の動作帯域幅を有するユーザSTA110が、第2の範囲の動作帯域幅を有する装置と無線ネットワーク内で共存するために実行する方法400を示す。第2の範囲の動作帯域幅は、第1の範囲の動作帯域幅より狭い最小動作帯域幅を含んでいてもよい。
【００３５】
処理410において、ユーザSTA110は、チャネル上で受信した信号を最小の動作帯域幅のサブチャネル(群)に分離するように、信号をフィルタリングする。ユーザSTA110は、チャネルで受信した信号を、第2の範囲の動作帯域幅の次の最小帯域幅の帯域幅を有する別のサブチャネル群に分離するように、信号をフィルタリングする。次の最小の帯域幅は、第1の範囲の動作帯域幅の帯域幅より狭い。
【００３６】
処理420において、ユーザSTA110はサブチャネルにおける送信信号を検出するようにサブチャネルを検査する。ユーザSTA110が信号を第2のサブチャネル群にフィルタリングする場合、ユーザSTA110は、第1のサブチャネル群及び第2のサブチャネル群を検査し、第2のサブチャネル群の中で送信信号を検出した場合に、ユーザSTA110は検査を終了する。
【００３７】
処理430において、ユーザSTA110は、サブチャネルにおいて送信信号を検出したことに応じて、そのチャネル対して共存技術を適用する。
【００３８】
技術的な開示内容の本質及び要旨を読者が把握できることを要約に課す37C.F.R.セクション1.72(b)に従って要約は作成されている。請求項の範囲又は意味を限定又は解釈するためには使用されないという理解の下で要約は提出されている。特許請求の範囲の記載は発明の詳細な説明によりサポートされており、個々の請求項は個々の実施形態を包含する。
【００３９】
＜その他の具体例＞
以下、例示的かつ非限定的な具体例を列挙する。
【００４０】
実施例1は、(例えば、方法、処理を実行する手段、命令を含むマシン可読媒体等のような)内容を含み、その方法は無線ネットワークにおいて動作するためにユーザ装置(STA)により実行され、当該方法は、
無線通信チャネルで受信した信号を複数のサブチャネルに分離するステップと、
前記複数のサブチャネルに属するサブチャネルにおいて、データパケットのショートトレーニングシーケンス（STS）の部分を検出するステップと、
前記の検出に応じて、前記チャネルにおいて送信を控えることにより、前記チャネルにおいて共存技術を適用するステップと
を有する方法である。
【００４１】
実施例2においては、実施例1において選択的な特徴が含まれ、チャネルが分離されるサブチャネルの帯域幅は、電気電子技術者協会(IEEE)802.11標準規格群に属する標準規格に従って、約5.85GHzないし5.925GHzの周波数範囲において、5GHzの送信バンドで動作する装置の予想される送信帯域幅に基づいている。
【００４２】
実施例3においては、実施例1-2のうちの1つ以上において選択的な特徴が含まれ、前記分離するステップが、前記信号を５ＭＨｚの帯域幅のサブチャネルにフィルタリングすることを含み、前記検出するステップが、前記ＳＴＳの部分の周期性に基づいて、ある時間期間の間にわたって前記サブチャネルを並列的に検査することを含む。
【００４３】
実施例4においては、実施例1-3のうちの1つ以上において選択的な特徴が含まれ、前記分離するステップが、前記信号を１０ＭＨｚの帯域幅のサブチャネルにフィルタリングすることを含み、前記検出するステップが、前記ＳＴＳの部分の周期性に基づいて、ある時間期間の間にわたって前記サブチャネルを並列的に検査することを含む。
【００４４】
実施例5においては、実施例4において選択的な特徴が含まれ、前記分離するステップが、前記信号を5MHzの帯域幅のサブチャネルにフィルタリングすることを含み、前記検出するステップが、前記10MHzのサブチャネルと前記5MHzのサブチャネルとを互いに並列的に検査すること、及び、前記10MHzのサブチャネルに関する検査が、前記10MHzのサブチャネルの何れかにおいて前記STSの部分を検出した場合に、前記検査を終了することを含む。
【００４５】
実施例6においては、実施例5において選択的な特徴が含まれ、前記分離するステップが、前記信号を20MHzのサブチャネルにフィルタリングすることを含み、前記検出するステップが、前記10MHzのサブチャネル及び前記5MHzのサブチャネルを検査するとともに、前記20MHzのサブチャネルを検査することを含む。
【００４６】
実施例7においては、実施例1-6のうちの1つ以上において選択的な特徴が含まれ、前記共存技術が、前記チャネルにおいて或る時間期間にわたって送信を控えることを含む。
【００４７】
実施例8においては、実施例7において選択的な特徴が含まれ、前記送信を控えることが、前記チャネルにおいて或る時間期間の間静かに待機することを含む。
【００４８】
実施例9は、実施例1-8のうちの任意の何れかの特徴を含む又は選択的に組み合わせられ、物理レイヤ(PHY)回路及び処理要素を有する無線通信局(STA)を有する内容(例えば、デバイス、装置、コンピュータ又はマシン)を含み、PHY回路及び処理要素は、
無線通信チャネルで信号を受信する処理と、
前記信号を或る数のサブチャネルに分離する処理であって、前記サブチャネルの数は装置の予想される送信帯域幅に基づいており、前記装置は、5GHz送信バンドにおいて電気電子技術者協会(IEEE)802.11標準規格群に属する標準規格に従って、約5.85GHzないし5.95GHzの周波数範囲内で動作する、処理と、
前記或る数のサブチャネルのうちのサブチャネルにおいてデータパケットのショートトレーニングシーケンス(STS)の部分を検出するために前記サブチャネルを検査する処理と、
前記STSの部分を検出したことに応じて前記チャネルにおける動作に対して、前記チャネルにおける送信を控えることを含む共存技術を適用する処理と
を実行する。
【００４９】
実施例10においては、実施例1-9のうちの1つ以上において選択的な特徴が含まれ、当該STAは、IEEE802.11n標準規格群に属する標準規格、又は、IEEE802.11ac標準規格群に属する標準規格に従って通信を行うように形成されている。
【００５０】
実施例11においては、実施例1-10のうちの1つ以上において選択的な特徴が含まれ、前記ＰＨＹ回路及び処理要素は、
前記チャネルを５ＭＨｚの帯域幅のサブチャネルに分離するフィルタ、又は、
前記チャネルを１０ＭＨｚの帯域幅のサブチャネルに分離するフィルタ
を含み、前記処理要素は、前記ＳＴＳの部分を検出するために、前記ＳＴＳの部分の州規制に基づいて、ある時間期間にわたって前記フィルタの出力を並列的に検査するように形成されている。
【００５１】
実施例12においては、実施例1-11のうちの1つ以上において選択的な特徴が含まれ、前記PHY回路及び処理要素は、前記チャネルを5MHzの帯域幅のサブチャネルに分離する第1のフィルタ群と、前記チャネルを10MHzの帯域幅のサブチャネルに分離する第2のフィルタ群とを含み、
前記処理要素は、前記第1のフィルタ群及び第2のフィルタ群の出力を並列的に検査し、前記第2のフィルタ群の出力において前記STSの部分を検出した場合に、前記処理要素は、前記第1のフィルタ群の出力の検査を終了する。
【００５２】
実施例13においては、実施例1-12のうちの1つ以上において選択的な特徴が含まれ、前記共存技術は、少なくとも或る時間期間の間にわたってワイドバンド通信チャネルで当該STAによる送信を抑制することを含む。
【００５３】
実施例14は、実施例1-13のうち任意の何れかの特徴を含む又は選択的に組み合わせられ、第１の範囲の動作帯域幅を有する装置が、第2の範囲の動作帯域幅を有する装置と無線ネットワークにおいて共存するために実行する方法の内容(例えば、方法、処理を実行する手段、命令を含むマシン可読媒体等)を含み、
前記第2の範囲の動作帯域幅は、前記第1の範囲の動作帯域幅より狭い最小動作帯域幅を含み、当該方法は、
チャネルで受信した信号を、前記最小動作帯域幅のサブチャネルに分離するように、前記信号をフィルタリングするステップと、
前記サブチャネルにおける送信信号を検出するために前記サブチャネルを検査するステップと、
前記サブチャネルにおける送信信号を検出したことに応じて、前記チャネルに対して
共存技術を適用するステップと
を有する方法である。
【００５４】
実施例15においては、実施例1-14のうちの1つ以上において選択的な特徴が含まれ、前記チャネルで受信した信号を、前記第2の範囲の動作帯域幅の次の最小帯域幅のうちの帯域幅を有する別のサブチャネル群に分離するように、前記信号をフィルタリングするステップであって、前記次の最小帯域幅は、前記第1の範囲の動作帯域幅のうちの帯域幅より狭い、ステップと、
第1のサブチャネル群及び第2のサブチャネル群を検査し、前記第2のサブチャネル群で送信信号を検出した場合に、当該STAは検査を終了するステップと
を更に有する。
【００５５】
実施例16は、実施例1-15のうちの任意の何れかの特徴を含む又は選択的に組み合わせられ、システムを含む内容(例えば、デバイス、装置、又はマシン等)を含み、システムは、
無線通信チャネルで信号を受信するように形成されたアンテナと、
１つ以上のプロセッサと
を有するシステムであって、前記プロセッサは、
前記信号を或る数のサブチャネルに分離する処理であって、前記サブチャネルの数は装置の予想される送信帯域幅に基づいており、前記装置は、5GHz送信バンドにおいて電気電子技術者協会(IEEE)802.11標準規格群に属する標準規格に従って、約5.85GHzないし5.95GHzの周波数範囲内で動作する、処理と、
前記或る数のサブチャネルのうちのサブチャネルにおいてデータパケットのショートトレーニングシーケンス(STS)の部分を検出するために前記サブチャネルを検査する処理と
を実行するように形成されている。
【００５６】
実施例17においては、実施例1-16のうちの1つ以上において選択的な特徴が含まれ、前記1つ以上のプロセッサは、前記サブチャネルにおいて前記STSの部分を検出したことに応じて、少なくとも或る時間期間の間にわたって前記チャネルにおける送信を控えることにより、前記チャネルにおいて共存技術を適用するように形成されている。
【００５７】
実施例18は、実施例1-17のうちの任意の何れかの特徴を含む又は選択的に組み合わせられ、(方法、処理を実行する手段、命令を含むマシン可読媒体等のような)内容を含み、前記動作方法は、
無線通信チャネルで受信した信号を複数のサブチャネルに分離するステップと、
前記複数のサブチャネルに属するサブチャネルにおいて、データパケットのショートトレーニングシーケンス(STS)の部分を検出するステップと、
前記の検出に応じて、前記チャネルにおいて送信を控えることを含む共存技術を、前記チャネルにおいて適用するステップと
を有する。
【００５８】
実施例19においては、実施例1-18のうちの1つ以上において選択的な特徴が含まれ、  前記サブチャネルの帯域幅は装置の最小動作帯域幅であり、前記装置は、5GHz送信バンドに関する電気電子技術者協会(IEEE)802.11標準規格群に属する標準規格に従って、約5.85GHzないし5.95GHzの周波数で動作する。
【００５９】
実施例20においては、実施例1-19のうちの1つ以上において選択的な特徴が含まれ、前記サブチャネルの別の帯域幅が、前記装置の次の最小動作帯域幅である。
【図１】
2015526952.tif 000003
【図２】
2015526952.tif 000004
【図３】
2015526952.tif 000005
【図４】
2015526952.tif 000006
【国際調査報告】
2015526952.tif 000007
2015526952.tif 000008